(57)【要約】 【課題】１つの赤外線リモコンにより調光率および／または色温度を個別に制御することが可能な照明装置を提供する。【解決手段】照明装置は、発光部と、赤外線指令信号を受信する赤外線受光部と、赤外線指令信号に応じて発光部の発光を制御する制御部と、少なくとも識別情報と、調光率または色温度と、を記憶する記憶部と、制御部の制御モードを、記憶部に記憶された調光率および／または色温度で発光する通常モード、または識別情報を記憶部に記憶する識別情報記憶モードの何れか一方に切り替えるスイッチと、を備える。【選択図】図２
2014096287.tif 000002
【特許請求の範囲】
【請求項１】
赤外線リモコンが出力した赤外線指令信号に応じて、調光および／または調色可能な発光装置が発光する照明装置であって、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備え、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、前記識別情報記憶モードであるか、または前記通常モードであるかを、判断する第３のステップと、
前記制御部が、前記第３のステップにおいて、前記制御モードが前記識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を実行する
ことを特徴とする照明装置。
【請求項２】
前記制御部が、前記第３のステップにおいて、前記制御モードが前記通常モードであると判断した場合に、前記赤外線指令信号でフリー識別情報が規定されているか否かを判断する第６のステップと、
前記制御部が、前記第６のステップにおいて、前記赤外線指令信号で前記フリー識別情報が規定されていると判断した場合に、前記赤外線指令信号により規定されている調光率および／または色温度で発光部を発光させる第７のステップと、をさらに実行する
ことを特徴とする請求項１に記載の照明装置。
【請求項３】
前記制御部が、前記第４のステップにおいて、前記赤外線指令信号が前記識別情報記憶信号ではないと判断した場合には、前記第６のステップに進み、前記赤外線指令信号によりフリー識別情報が規定されているか否かを判断する
ことを特徴とする請求項２に記載の照明装置。
【請求項４】
前記制御部が、前記第６のステップにおいて、前記赤外線指令信号により前記フリー識別情報が規定されていないと判断した場合に、前記赤外線指令信号で規定された指定識別情報が前記記憶部に記憶されている記憶識別情報と一致するか否かを判断する第８のステップと、
前記制御部が、前記第８のステップにおいて、前記指定識別情報が前記記憶識別情報と一致すると判断した場合に、前記赤外線指令信号が発光部の点灯／消灯を規定しているか否かを判断する第９のステップと、
前記制御部が、前記第９のステップにおいて、前記赤外線指令信号が発光部の点灯／消灯を規定していないと判断した場合に、前記赤外線指令信号で規定されている調光率および／または色温度で発光部を発光させる第１０のステップと、
前記制御部が、前記第１０のステップの後、前記赤外線指令信号で規定されている調光率および／または色温度を前記記憶部に記憶する第１１のステップと、をさらに実行する
ことを特徴とする請求項３に記載の照明装置。
【請求項５】
前記制御部が、前記第９のステップにおいて、前記赤外線指令信号が前記発光部の点灯／消灯を規定していると判断した場合に、前記発光部が点灯しているか否かを判断する第１２のステップと、
前記制御部が、前記第１２のステップにおいて、前記発光部が点灯していると判断した場合に、前記発光部を消灯する第１３のステップと、をさらに実行する
ことを特徴とする請求項４に記載の照明装置。
【請求項６】
前記制御部が、前記第１２のステップにおいて、前記発光部が点灯していない（消灯している）と判断した場合に、前記記憶部に記憶されている調光率および／または色温度を読み出す第１４のステップと、
前記制御部が、前記第１４のステップで読み出した調光率および／または色温度で、前記発光部を発光させる第１５のステップと、をさらに実行する
ことを特徴とする請求項５に記載の照明装置。
【請求項７】
前記制御部が、前記第２のステップにおいて、前記赤外線信号が前記赤外線指令信号ではないと判断した場合に、受信した前記赤外線信号を破棄する第１６のステップをさらに実行する
ことを特徴とする請求項１に記載の照明装置。
【請求項８】
前記制御部が、前記第８のステップにおいて、前記赤外線指令信号により規定された識別情報が前記記憶部に記憶されている識別情報と一致しないと判断した場合に、受信した前記赤外線指令信号を破棄する第１７のステップをさらに実行する
ことを特徴とする請求項４に記載の照明装置。
【請求項９】
電源から電流が配線を介して供給され、前記制御部から出力される調光・調色制御信号に応じた電力を前記発光部に出力する電源回路をさらに備える
ことを特徴とする請求項１に記載の照明装置。
【請求項１０】
前記赤外線受光部で受光された赤外線指令信号をデコードし、得られたデコード信号を、前記制御部に出力するデコード部と、
前記スイッチの操作状態に応じたモード切替信号が入力される入力部と、をさらに備え、
前記制御部は、前記モード切替信号に応じて、前記制御モードが決定されることを特徴とする請求項１に記載の照明装置。
【請求項１１】
前記照明装置は、使用者による前記スイッチに対する第１の操作により、前記識別情報記憶モードに切り替えられ、一方、使用者による前記スイッチに対する第２の操作により、前記識別情報記憶モードから前記通常モードに切り替えられることを特徴とする請求項１に記載の照明装置。
【請求項１２】
前記記憶部は、不揮発性記憶装置であることを特徴とする請求項１に記載の照明装置。
【請求項１３】
赤外線リモコンが出力した赤外線指令信号に応じて、調光および／または調色可能な発光装置が発光する照明装置であって、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備えた照明装置による調光・調色方法であって、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、識別情報記憶モードであるか、または通常モードであるかを、判断する第３のステップと、
前記制御部が、前記第３のステップにおいて、前記制御モードが識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を備える
ことを特徴とする調光・調色方法。
【請求項１４】
赤外線指令信号を出力可能な赤外線リモコンと、
前記赤外線リモコンが出力した赤外線指令信号に応じて、調光および／または調色可能な発光装置が発光する照明装置と、
電源から出力された電流を前記複数の照明装置に供給する配線と、を備えた調光・調色システムにおいて、
前記照明装置は、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備え、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、識別情報記憶モードであるか、または通常モードであるかを、判断する第３のステップと、
前記制御部が、前記第３のステップにおいて、前記制御モードが識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を実行する
ことを特徴とする調光・調色システム。
【発明の詳細な説明】
【技術分野】
【０００１】
本発明は、照明装置、調光・調色方法、および、調光・調色システムに関する。
【背景技術】
【０００２】
一般的に、美術館等では展示物により照明装置の光量や光色を替えて展示する。
【０００３】
そこで、従来、例えば、図１３に示すように、複数の照明装置Ｘの調光を行う方法として、展示物Ｐに照射する光Ｌを制御するトライアック調光や、ＰＷＭ調光等を採用する調光システム２０００が提案されている（例えば、特許文献１、２参照。）。
【０００４】
この従来の調光システム２０００は、1つの調光器ＴでダクトＬＤに接続された複数の照明装置Ｘの光量を制御する。
【０００５】
したがって、展示物の性質、使用者の要求に応じて、個別に照明装置の光量を制御することができない。
【０００６】
そこで、他の従来の調光システム３０００には、展示物Ｐの性質、および使用者の要求に応じて、１つの展示物Ｐに対して１つの調光器Ｔで１台の照明装置Ｘを調光するものがある（図１４）。
【０００７】
この従来の調光システム３０００は、複数の調光器を必要とするため、非常に高価になる。
【０００８】
また、１台の制御装置Ｙの無線、電力線通信、専用通信等により、個々の照明装置Ｘを制御する調光システム４０００も提案されている（図１５）。
【先行技術文献】
【特許文献】
【０００９】
【特許文献１】特開２０１２−８９２７７号公報
【特許文献２】特開２０１１−１２９４８１号公報
【発明の概要】
【発明が解決しようとする課題】
【００１０】
しかし、図１５に示すような従来の調光システム４０００は、初期導入コストが大幅にかかる上に、スペースに合わせたセッティングや、制御専用のパソコンＰＣ等も必要となり、小規模展示スペースや小規模店舗では導入が難しいという問題がある。
【課題を解決するための手段】
【００１１】
本発明の一態様に係る実施例に従った照明装置は、
赤外線リモコンが出力した赤外線指令信号に応じて、調光および／または調色可能な発光装置が発光する照明装置であって、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備え、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、前記識別情報記憶モードであるか、または前記通常モードであるかを、判断する第３のステップと、
前記制御部が、前記第３のステップにおいて、前記制御モードが前記識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を実行する
ことを特徴とする。
【００１２】
前記照明装置において、
前記制御部が、前記第３のステップにおいて、前記制御モードが前記通常モードであると判断した場合に、前記赤外線指令信号でフリー識別情報が規定されているか否かを判断する第６のステップと、
前記制御部が、前記第６のステップにおいて、前記赤外線指令信号で前記フリー識別情報が規定されていると判断した場合に、前記赤外線指令信号により規定されている調光率および／または色温度で発光部を発光させる第７のステップと、をさらに実行する
ことを特徴とする。
【００１３】
前記照明装置において、
前記制御部が、前記第４のステップにおいて、前記赤外線指令信号が前記識別情報記憶信号ではないと判断した場合には、前記第６のステップに進み、前記赤外線指令信号によりフリー識別情報が規定されているか否かを判断する
ことを特徴とする。
【００１４】
前記照明装置において、
前記制御部が、前記第６のステップにおいて、前記赤外線指令信号により前記フリー識別情報が規定されていないと判断した場合に、前記赤外線指令信号で規定された指定識別情報が前記記憶部に記憶されている記憶識別情報と一致するか否かを判断する第８のステップと、
前記制御部が、前記第８のステップにおいて、前記指定識別情報が前記記憶識別情報と一致すると判断した場合に、前記赤外線指令信号が発光部の点灯／消灯を規定しているか否かを判断する第９のステップと、
前記制御部が、前記第９のステップにおいて、前記赤外線指令信号が発光部の点灯／消灯を規定していないと判断した場合に、前記赤外線指令信号で規定されている調光率および／または色温度で発光部を発光させる第１０のステップと、
前記制御部が、前記第１０のステップの後、前記赤外線指令信号で規定されている調光率および／または色温度を前記記憶部に記憶する第１１のステップと、をさらに実行する
ことを特徴とする。
【００１５】
前記照明装置において、
前記制御部が、前記第９のステップにおいて、前記赤外線指令信号が前記発光部の点灯／消灯を規定していると判断した場合に、前記発光部が点灯しているか否かを判断する第１２のステップと、
前記制御部が、前記第１２のステップにおいて、前記発光部が点灯していると判断した場合に、前記発光部を消灯する第１３のステップと、をさらに実行する
ことを特徴とする。
【００１６】
前記照明装置において、
前記制御部が、前記第１２のステップにおいて、前記発光部が点灯していない（消灯している）と判断した場合に、前記記憶部に記憶されている調光率および／または色温度を読み出す第１４のステップと、
前記制御部が、前記第１４のステップで読み出した調光率および／または色温度で、前記発光部を発光させる第１５のステップと、をさらに実行する
ことを特徴とする。
【００１７】
前記照明装置において、
前記制御部が、前記第２のステップにおいて、前記赤外線信号が前記赤外線指令信号ではないと判断した場合に、受信した前記赤外線信号を破棄する第１６のステップをさらに実行する
ことを特徴とする。
【００１８】
前記照明装置において、
前記制御部が、前記第８のステップにおいて、前記赤外線指令信号により規定された識別情報が前記記憶部に記憶されている識別情報と一致しないと判断した場合に、受信した前記赤外線指令信号を破棄する第１７のステップをさらに実行する
ことを特徴とする。
【００１９】
前記照明装置において、
電源から電流が配線を介して供給され、前記制御部から出力される調光・調色制御信号に応じた電力を前記発光部に出力する電源回路をさらに備える
ことを特徴とする。
【００２０】
前記照明装置において、
前記赤外線受光部で受光された赤外線指令信号をデコードし、得られたデコード信号を、前記制御部に出力するデコード部と、
前記スイッチの操作状態に応じたモード切替信号が入力される入力部と、をさらに備え、
前記制御部は、前記モード切替信号に応じて、前記制御モードが決定される
ことを特徴とする。
【００２１】
前記照明装置は、使用者による前記スイッチに対する第１の操作により、前記識別情報記憶モードに切り替えられ、一方、使用者による前記スイッチに対する第２の操作により、前記識別情報記憶モードから前記通常モードに切り替えられる
ことを特徴とする。
【００２２】
前記照明装置において、
前記記憶部は、不揮発性記憶装置であることを特徴とする請求項１に記載の照明装置。
【００２３】
本発明の一態様に係る実施例に従った調光・調色方法は、  
赤外線リモコンが出力した赤外線指令信号に応じて、調光および／または調色可能な発光装置が発光する照明装置であって、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備えた照明装置による調光・調色方法であって、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、識別情報記憶モードであるか、または通常モードであるかを、判断する第３のステップと、
前記制御部が、前記第３のステップにおいて、前記制御モードが識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を備える
ことを特徴とする。
【００２４】
本発明の一態様に係る実施例に従った調光・調色システムは、  
赤外線指令信号を出力可能な赤外線リモコンと、
前記赤外線リモコンが出力した赤外線指令信号に応じて、調光および／または調色可能な発光装置が発光する照明装置と、
電源から出力された電流を前記複数の照明装置に供給する配線と、を備えた調光・調色システムにおいて、
前記照明装置は、
前記発光装置からなる発光部と、
前記赤外線指令信号を受信する赤外線受光部と、
前記赤外線指令信号に応じて前記発光部の発光を制御する制御部と、
少なくとも識別情報と、調光率または色温度と、を記憶する記憶部と、
前記制御部の制御モードを、前記記憶部に記憶された調光率および／または色温度で発光する通常モード、または識別情報を前記記憶部に記憶する識別情報記憶モードの何れか一方に切り替えるスイッチと、を備え、
赤外線信号を前記赤外線受光部で受信する第１のステップと、
前記制御部が、受信された前記赤外線信号が前記赤外線指令信号であるか否かを、判断する第２のステップと、
前記制御部が、前記第２のステップにおいて、前記赤外線信号が前記赤外線指令信号であると判断した場合に、前記制御モードが、識別情報記憶モードであるか、または通常モードであるかを、判断する第３のステップと、
前記制御部が、前記第３のステップにおいて、前記制御モードが識別情報記憶モードであると判断した場合に、前記赤外線指令信号が識別情報の記憶を規定する識別情報記憶信号であるか否かを判断する第４のステップと、
前記制御部が、前記第４のステップにおいて、前記赤外線指令信号が前記識別情報記憶信号であると判断した場合に、前記赤外線指令信号で規定されている識別情報を記憶部に記憶する第５のステップと、を実行する
ことを特徴とする。
【発明の効果】
【００２５】
本発明の一態様に係る照明装置は、赤外線リモコンが出力した赤外線指令信号に応じて、発光する照明装置であって、赤外線指令信号を受信する赤外線受光部と、発光する発光部と、赤外線指令信号に応じて発光部の発光を制御する制御部と、少なくとも識別情報と、調光率または色温度と、を記憶する記憶部と、制御部の制御モードを、記憶部に記憶された調光率および／または色温度で発光する通常モード、または識別情報を記憶部に記憶する識別情報記憶モードの何れか一方に切り替えるスイッチと、を備える。
【００２６】
そして、制御部が、受信された赤外線信号が赤外線指令信号であるか否かを、判断し、赤外線信号が赤外線指令信号であると判断した場合に、識別情報記憶モードであるか、または通常モードであるかを、判断する。
【００２７】
そして、制御部が、制御モードが識別情報記憶モードであると判断した場合に、赤外線指令信号が識別情報の記憶を規定する識別情報記憶信号であるか否かを判断する。
【００２８】
そして、制御部が、赤外線指令信号が識別情報記憶信号であると判断した場合に、赤外線指令信号で規定されている識別情報を記憶部に記憶する。
【００２９】
特に、制御部は、赤外線指令信号でフリー識別情報が規定されている場合に、赤外線指令信号により規定されている調光率および／または色温度で発光部を発光させる。
【００３０】
特に、制御部は、赤外線指令信号で規定された指定識別情報が記憶識別情報と一致した場合に、赤外線指令信号により規定されている調光率および／または色温度で発光部を発光させる。
【００３１】
したがって、本発明に係る照明装置は、１つの赤外線リモコンにより調光率および／または色温度を個別に制御することができる。
【００３２】
すなわち、導入コストを削減しつつ、汎用性を向上することができる。
【００３３】
そして、本発明に係る照明装置は、例えば、美術館、商店、一般住宅に適用可能である。
【００３４】
なお、記憶部（ＥＥＰＲＯＭ）に識別情報を記憶させることにより、例えば、レイアウト変更等後からでも使用者変更が可能になる。
【００３５】
また、入力配線系統が異なる照明装置に対しても調光・調色制御が可能である。
【００３６】
また、調光・調色の対象ではない照明装置については、識別情報を付与しないで、動作させるようにしてもよい。
【００３７】
また、異なる照明装置に同じ識別情報が記憶されるようにしてもよい。これにより、２つの照明装置の調光率や色温度を同期して制御することができる。
【図面の簡単な説明】
【００３８】
【図１】図１は、本発明の一態様である実施例１に係る電源制御システム１０００の構成の一例を示す図である。
【図２】図２は、図１に示す照明装置１００ａの構成の一例を示すブロック図である。
【図３】図３は、図１に示す調光・調色システム１０００の第１の照明装置１００ａの識別情報を記憶する状態の一例を示す図である。
【図４】図４は、図１に示す調光・調色システム１０００の第２の照明装置１００ｂの識別情報を記憶する状態の一例を示す図である。
【図５】図５は、図１に示す調光・調色システム１０００の第９の照明装置１００ｉの識別情報を記憶する状態の一例を示す図である。
【図６】図６は、図２に示す照明装置１００ａの制御フローの一例を示すフローチャートである。
【図７】図７は、赤外線指令信号の構成の一例を示す図である。
【図８】図８は、赤外線指令信号の構成の他の例を示す図である。
【図９】図９は、赤外線指令信号の構成のさらに他の例を示す図である。
【図１０】図１０は、赤外線指令信号の構成のさらに他の例を示す図である。
【図１１】図１１は、赤外線指令信号の構成のさらに他の例を示す図である。
【図１２】図１２は、赤外線指令信号の構成のさらに他の例を示す図である。
【図１３】図１３は、従来の調光システム２０００の構成の一例を示す図である。
【図１４】図１４は、従来の調光システム３０００の構成の他の例を示す図である。
【図１５】図１５は、従来の調光システム４０００の構成のさらに他の例を示す図である。
【発明を実施するための形態】
【００３９】
以下、本発明に係る実施例について図面に基づいて説明する。
【実施例１】
【００４０】
図１は、本発明の一態様である実施例１に係る電源制御システム１０００の構成の一例を示す図である。また、図２は、図１に示す照明装置１００ａの構成の一例を示すブロック図である。なお、図２では、一例として、照明装置１００ａの構成を記載しているが、図１に示す他の照明装置１００ｂ〜１００ｉも照明装置１００ａと同様の構成を有する。
【００４１】
図１に示すように、調光・調色システム１０００は、赤外線リモコンＲＣと、複数（図１の例では９個）の照明装置１００ａ、１００ｂ、１００ｃ、１００ｄ、１００ｅ、１００ｆ、１００ｇ、１００ｈ、１００ｉと、配線ＬＩ１、ＬＩ２と、ダクトＬＤ１、ＬＤ２と、を備える。
【００４２】
図１に示すように、配線ＬＩ１は、交流電源ＡＣから出力された電流を複数の照明装置１００ａ〜１００ｄに供給するようになっている。
【００４３】
配線ＬＩ２は、交流電源ＡＣから出力された電流を複数の照明装置１００ｅ〜１００ｉに供給するようになっている。
【００４４】
また、ダクトＬＤ１は、複数の照明装置１００ａ〜１００ｄに接続され、配線ＬＩ１を収納するようになっている。
【００４５】
ダクトＬＤ２は、複数の照明装置１００ｅ〜１００ｉに接続され、配線ＬＩ２を収納するようになっている。
【００４６】
赤外線リモコンＲＣは、赤外線指令信号を出力可能になっている。
【００４７】
なお、この赤外線指令信号としては、後述のように、例えば、識別情報の記憶を規定する識別情報記憶信号として定義される場合がある。また、この赤外線指令信号は、例えば、識別情報、調光率、および、色温度を規定する。
【００４８】
各照明装置１００ａ〜１００ｉは、赤外線リモコンＲＣが出力した赤外線指令信号に応じて、発光するようになっている。
【００４９】
そして、各照明装置１００ａ〜１００ｉは、識別情報記憶モードにおいて、赤外線リモコンＲＣから出力され且つ少なくとも識別情報を規定する赤外線指令信号を、受信した場合、赤外線指令信号で規定される識別情報を記憶するようになっている。
【００５０】
一方、照明装置１００ａ〜１００ｉは、通常モードにおいて、赤外線リモコンＲＣから出力され且つ識別情報、調光率および色温度を規定する赤外線指令信号を、受信した場合、記憶している識別情報と、赤外線指令信号で規定される識別情報とが一致するときには、赤外線指令信号で規定される調光率および色温度を記憶し且つ赤外線指令信号で規定される調光率および色温度で発光するようになっている。
【００５１】
ここで、識別情報としては、後述のように、指定識別情報、または、フリー識別情報の何れか一方が定義される。
【００５２】
なお、図１の例では、各照明装置１００ａ〜１００ｉには、各識別情報（ＩＤ０１〜ＩＤ０９）がそれぞれ記憶されている。
【００５３】
ここで、照明装置１００ａは、図１、図２に示すように、制御回路ＣＯＮと、電源回路ＳＣと、複数の発光部ＬＥ１、ＬＥ２と、スイッチＳＷと、赤外線受光部ＬＲと、抵抗素子Ｒと、を有する。
【００５４】
赤外線受光部ＬＲは、赤外線リモコンＲＣが出力した赤外線指令信号を受信するようになっている。
【００５５】
抵抗素子Ｒの一端は、端子ＳＣＴに接続されている。また、抵抗素子Ｒの他端は、入力部Ｉに他端が接続されている。
【００５６】
また、スイッチＳＷは、制御部Ｃの制御モードを、制御回路ＣＯＮ（記憶部Ｍ）に記憶している調光率および色温度で発光する通常モード、または、識別情報を制御回路ＣＯＮ（記憶部Ｍ）に記憶する識別情報記憶モードの何れか一方に切り替えるようになっている。
【００５７】
このスイッチＳＷの一端は、入力部Ｉ（抵抗素子Ｒの他端）に接続されている。また、スイッチＳＷの他端は、接地に接続されている。
【００５８】
このスイッチＳＷは、使用者による第１の操作により、ＯＮする。これにより、入力部Ｉに“Ｌｏｗ”レベルの識別情報切替信号が入力される。この“Ｌｏｗ”レベルの識別情報切替信号は、識別情報記憶モードを規定する。
【００５９】
一方、スイッチＳＷは、使用者による第２の操作により、ＯＦＦする。これにより、入力部Ｉに“Ｈｉｇｈ”レベルの識別情報切替信号が入力される。この“Ｈｉｇｈ”レベルの識別情報切替信号は、通常モードを規定する。
【００６０】
すなわち、照明装置１００（制御回路ＣＯＮ）は、使用者によるスイッチＳＷに対する第１の操作により、制御モードが識別情報記憶モードに切り替えられる。
【００６１】
一方、照明装置１００（制御回路ＣＯＮ）は、使用者によるスイッチＳＷに対する第２の操作により、制御モードが通常モードに切り替えられる。
【００６２】
電源回路ＳＣは、交流電源ＡＣから電流が配線ＬＩ１を介して供給され、調光・調色制御信号に応じた電力を出力するようになっている。また、電源回路ＳＣは、交流電源ＡＣの電圧から生成した電圧で端子ＳＣＴに出力するようになっている。
【００６３】
発光部ＬＥ１、ＬＥ２は、電源回路ＳＣから出力される電力により発光するようになっている。なお、図２の例では、発光部が２個であるが、１個、または３個以上であってもよい。
【００６４】
この発光部ＬＥ１、ＬＥ２は、調光および／または調色が可能な発光装置であり、例えば、白熱電球、蛍光灯、ＨＩＤランプ、ＬＥＤ素子、有発光部ＬＥ１と、発光部ＬＥ２と機ＥＬ素子などがある。発光部ＬＥ１と、発光部ＬＥ２とは、例えば、発光色が異なる。これにより、調色が可能となる。
【００６５】
なお、既述のように、図１に示す他の照明装置１００ｂ〜１００ｉも照明装置１００ａと同様の構成を有する。
【００６６】
すなわち、複数の照明装置１００ａ〜１００ｉは、制御回路ＣＯＮと、電源回路ＳＣと、発光部ＬＥ１、ＬＥ２と、スイッチＳＷと、赤外線受光部ＬＲと、抵抗素子Ｒと、をそれぞれ有する。
【００６７】
例えば、複数の照明装置１００ａ〜１００ｉのうちの第１の照明装置１００ａに記憶されている識別情報（ＩＤ０１）は、複数の照明装置１００のうちの第２の照明装置１００ｂに記憶されている識別情報（ＩＤ０２）と異なるように設定されている。
【００６８】
これにより、２つの照明装置１００ａ、１００ｄを、赤外線指令信号で個別に識別情報を規定することにより、個別に制御することができる。
【００６９】
また、例えば、図１に示す例では、第１の照明装置１００ａに記憶されている調光率および色温度は、第２の照明装置１００ｂに記憶されている調光率および色温度とは異なる。このように、異なる照明装置に、異なる調光率および色温度が設定されるようにしてもよい。
【００７０】
すなわち、２つの照明装置１００ａ、１００ｂの調光率および色温度を個別に制御することができる。
【００７１】
また、例えば、第１の照明装置１００ａに記憶されている識別情報（ＩＤ０１）は、複数の照明装置１００ａ〜１００ｉのうちの第３の照明装置１００ｃに記憶されている識別情報（ＩＤ０３）と同じである（すなわち、第１の照明装置１００ａに識別情報（ＩＤ０３）を記憶する）ようにしてもよい。このように、異なる照明装置に同じ識別情報が記憶されるようにしてもよい。
【００７２】
これにより、１つの赤外線指令信号で２つの照明装置１００ａ、１００ｃを同時に識別情報指定することができるため、２つの照明装置１００ａ、１００ｃの調光率および色温度を同期して制御することができる。
【００７３】
また、例えば、各照明装置１００ａ〜１００ｉは、通常モードにおいて、赤外線指令信号を受信した場合、記憶している識別情報と、赤外線指令信号で規定される識別情報とが異なるときには、記憶している調光率および色温度で発光するようになっている。
【００７４】
また、各照明装置１００ａ〜１００ｉは、再起動時に、制御モードが通常モードである場合には、記憶されている調光率および色温度で発光するようになっている。
【００７５】
これにより、各照明装置１００ａ〜１００ｉの消費電力の低減を図ることができる。
【００７６】
なお、各照明装置１００ａ〜１００ｉは、識別情報記憶モードにおいて、調光率および色温度をさらに規定する赤外線指令信号を、受信した場合、赤外線指令信号で規定される識別情報および調光率および色温度を記憶し、且つ赤外線指令信号で規定される調光率および色温度で発光するようにしてもよい。
【００７７】
制御回路ＣＯＮは、識別情報記憶モードにおいて、赤外線受光部ＬＲで受信された赤外線指令信号で規定される識別情報を記憶するようになっている。
【００７８】
また、制御回路ＣＯＮは、通常モードにおいて、赤外線受光部ＬＲで受信された赤外線指令信号で規定される識別情報と、記憶している識別情報と、が一致するか否かを判断する。
【００７９】
そして、制御回路ＣＯＮは、通常モードにおいて、赤外線指令信号で規定される識別情報と、記憶している識別情報と、が一致するときには、赤外線指令信号で規定される調光率および色温度を記憶し且つ赤外線指令信号で規定される調光率および色温度に基づいて調光・調色制御信号を出力するようになっている。
【００８０】
一方、制御回路ＣＯＮは、通常モードにおいて、赤外線指令信号で規定される識別情報と、記憶している識別情報と、が一致しない場合には、赤外線指令信号を破棄する。すなわち、照明装置１００ａの制御状態は、この赤外線指令信号が入力される前と同じ状体を維持する。
【００８１】
ここで、図２に示すように、制御回路ＣＯＮは、例えば、デコード部Ｄと、入力部Ｉと、記憶部Ｍと、制御部Ｃと、を有する。
【００８２】
デコード部Ｄは、赤外線受光部ＬＲで受光された赤外線指令信号をデコードし、得られたデコード信号を制御部Ｃに出力するようになっている。
【００８３】
入力部Ｉは、スイッチＳＷの操作状態に応じたモード切替信号が入力されるようになっている。
【００８４】
記憶部Ｍは、識別情報、調光率、および色温度を記憶する記憶部を記憶するようになっている。この記憶部Ｍは、不揮発性記憶装置（例えば、ＥＥＰＲＯＭ）である。
【００８５】
制御部Ｃは、赤外線指令信号に応じて、発光部ＬＥ１、ＬＥ２の発光を調光・調色制御信号により制御するようになっている。
【００８６】
また、制御部Ｃは、入力部Ｉから入力されるモード切替信号に応じて、制御モードが決定されるようになっている。
【００８７】
そして、制御部Ｃは、モード切替信号が識別情報記憶モードを規定している場合には、デコード信号で規定される識別情報を記憶部Ｍに記憶させるようになっている。
【００８８】
また、制御部Ｃは、モード切替信号が通常モードを規定している場合には、デコード信号で規定される識別情報と、記憶部Ｍで記憶している識別情報と、が一致するか否かを判断するようになっている。
【００８９】
そして、制御部Ｃは、デコード信号で規定される識別情報と、記憶部Ｍで記憶している識別情報と、が一致するときには、デコード信号で規定される調光率および色温度を記憶部Ｍに記憶させ且つデコード信号で規定される調光率および色温度に基づいて調光・調色制御信号を出力するようになっている。
【００９０】
一方、制御部Ｃは、デコード信号で規定される識別情報と、記憶部Ｍで記憶している識別情報と、が一致しないときには、デコード信号を破棄する。すなわち、この場合、既述のように、赤外線指令信号が破棄される。
【００９１】
なお、既述のように、他の照明装置１００ｂ〜１００ｉも、照明装置１００ａと同様の構成を有する。
【００９２】
次に、以上のような構成を有する調光・調色システム１０００の動作の一例について、説明する。
【００９３】
ここで、図３は、図１に示す調光・調色システム１０００の第１の照明装置１００ａの識別情報を記憶する状態の一例を示す図である。図４は、図１に示す調光・調色システム１０００の第２の照明装置１００ｂの識別情報を記憶する状態の一例を示す図である。図５は、図１に示す調光・調色システム１０００の第９の照明装置１００ｉの識別情報を記憶する状態の一例を示す図である。
【００９４】
なお、図３に示す状態では、照明装置１００ｂ〜１００ｉには、識別情報が記憶されていない。照明装置１００ｂ〜１００ｉのスイッチＳＷは、ＯＦＦしており、照明装置１００ｂ〜１００ｉの制御モードは、通常モードである。また、照明装置１００ａのスイッチＳＷは、ＯＮしており、照明装置１００ａの制御モードは、識別情報記憶モードである。
【００９５】
先ず、例えば、図３に示すように、制御モードが識別情報記憶モードである照明装置１００ａに、赤外線リモコンＲＣから識別情報（ＩＤ０１）を規定する赤外線指令信号を出力する。
【００９６】
制御モードが識別情報記憶モードである照明装置１００ａは、赤外線リモコンＲＣから出力され、且つ少なくとも識別情報を規定する赤外線指令信号を受信すると、赤外線指令信号で規定される識別情報（ＩＤ０１）を記憶する。
【００９７】
なお、他の照明装置１００ｂ〜１００ｉは、制御モードが通常モードであるため、識別情報を記憶しない。
【００９８】
次に、図４に示すように、例えば、使用者が照明装置１００ａのスイッチＳＷをＯＦＦし、照明装置１００ｂのスイッチＳＷをＯＮする。すなわち、照明装置１００ａの制御モードが通常モードになり、照明装置１００ｂの制御モードが識別情報記憶モードになる。
【００９９】
そして、制御モードが識別情報記憶モードである照明装置１００ｂに、赤外線リモコンＲＣから識別情報（ＩＤ０２）を規定する赤外線指令信号を出力する。
【０１００】
制御モードが識別情報記憶モードである照明装置１００ｂは、赤外線リモコンＲＣから出力され、且つ少なくとも識別情報を規定する赤外線指令信号を受信すると、赤外線指令信号で規定される識別情報（ＩＤ０２）を記憶する。
【０１０１】
なお、他の照明装置１００ａ、１００ｃ〜１００ｉは、制御モードが通常モードであるため、識別情報を記憶しない。
【０１０２】
そして、同様の操作を照明装置１００ｃ〜１００ｈについて実行する。
【０１０３】
最後に、図５に示すように、例えば、使用者が照明装置１００ｈのスイッチＳＷをＯＦＦし、照明装置１００ｉのスイッチＳＷをＯＮする。すなわち、照明装置１００ｈの制御モードが通常モードになり、照明装置１００ｉの制御モードが識別情報記憶モードになる。
【０１０４】
そして、制御モードが識別情報記憶モードである照明装置１００ｉに、赤外線リモコンＲＣから識別情報（ＩＤ０９）を規定する赤外線指令信号を出力する。
【０１０５】
制御モードが識別情報記憶モードである照明装置１００ｉは、赤外線リモコンＲＣから出力され、且つ少なくとも識別情報を規定する赤外線指令信号を受信すると、赤外線指令信号で規定される識別情報（ＩＤ０９）を記憶する。
【０１０６】
以上の操作により、各照明装置１００ａ〜１００ｉに、各識別情報（ＩＤ０１〜ＩＤ０９）がそれぞれ記憶される。
【０１０７】
そして、制御モードが通常モードである照明装置１００ａ〜１００ｉは、赤外線リモコンＲＣから出力され、且つ識別情報、調光率および色温度を規定する赤外線指令信号を、受信した場合、記憶している識別情報と、赤外線指令信号で規定される識別情報とが一致するときには、赤外線指令信号で規定される調光率および色温度を記憶し且つ赤外線指令信号で規定される調光率で発光することとなる。
【０１０８】
したがって、本発明に係る調光・調色システムは、１つの赤外線リモコンにより複数の照明装置の調光率を個別に制御することができる。
【０１０９】
すなわち、導入コストを削減しつつ、汎用性を向上することができる。
【０１１０】
そして、本発明に係る調光・調色システムは、例えば、美術館、商店、一般住宅に適用可能である。
【０１１１】
また、調光・調色システムは、同じ空間にある、同種の機能を搭載した照明装置（スポットライト、ダウンライト、シーリング、間接照明等）すべてを一つの赤外線リモコンＲＣで制御できる。
【０１１２】
また、照明装置は、再起動時において、記憶部に記憶された調光率および色温度で動作するので、予め調光率を低く設定可能である。
【０１１３】
これにより、既述のように、照明装置の消費電力の低減を図ることができる。
【０１１４】
ここで、調光・調色システム１０００の動作における、照明装置の制御フロー（照明装置による調光・調色方法）の一例について説明する。図６は、図２に示す照明装置１００ａの制御フローの一例を示すフローチャートである。なお、他の照明装置１００ｂ〜１００ｉも図６と同様の制御フローを実行するようになっている。
【０１１５】
図６に示すように、先ず、照明装置１００ａは、赤外線信号を赤外線受光部ＬＲで受信する（第１のステップＳ１）。
【０１１６】
そして、照明装置１００ａの制御部Ｃは、受信された赤外線信号が赤外線指令信号であるか否かを、判断する（第２のステップＳ２）。
【０１１７】
そして、制御部Ｃは、第２のステップＳ２において受信された赤外線信号が赤外線指令信号であると判断した場合に、制御モードが、識別情報記憶モードであるか、または通常モードであるかを、判断する（第３のステップＳ３）。
【０１１８】
そして、制御部Ｃは、第３のステップＳ３において制御モードが識別情報記憶モードであると判断した場合に、赤外線指令信号が識別情報の記憶を規定する識別情報記憶信号であるか否かを判断する（第４のステップＳ４）。
【０１１９】
そして、制御部Ｃは、第４のステップＳ４において赤外線指令信号が識別情報記憶信号であると判断した場合に、赤外線指令信号で規定されている識別情報を記憶部Ｍに記憶する（第５のステップＳ５）。なお、この記憶部Ｍに記憶されている識別情報は、後述のように記憶識別情報として定義される。
【０１２０】
すなわち、照明装置１００ａは、制御モードが識別情報記憶モードであり且つ赤外線指令信号が識別情報記憶信号である場合、赤外線指令信号で規定されている識別情報を記憶する。
【０１２１】
また、制御部Ｃは、第３のステップＳ３において制御モードが識別情報記憶モードではない（すなわち、通常モードである）と判断した場合に、赤外線指令信号でフリー識別情報が規定されているか否かを判断する（第６のステップＳ６）。
【０１２２】
そして、制御部Ｃは、第６のステップにおいて赤外線指令信号でフリー識別情報が規定されていると判断した場合に、赤外線指令信号により規定されている調光率および色温度で発光部ＬＥ１、ＬＥ２を発光させる（第７のステップＳ７）。
【０１２３】
すなわち、照明装置１００ａは、制御モードが通常モードであり且つ赤外線指令信号がフリー識別情報を規定する場合、赤外線指令信号により規定されている調光率および色温度で発光する。
【０１２４】
なお、制御部Ｃは、第４のステップＳ４において、赤外線指令信号が識別情報記憶信号ではないと判断した場合には、第６のステップＳ６に進み、赤外線指令信号によりフリー識別情報が規定されているか否かを判断する。
【０１２５】
すなわち、照明装置１００ａは、制御モードが識別情報記憶モードであっても、赤外線指令信号がフリー識別情報を規定する場合、赤外線指令信号により規定されている調光率および色温度で発光する。
【０１２６】
また、制御部Ｃは、第６のステップＳ６において赤外線指令信号によりフリー識別情報が規定されていない（すなわち、指定識別情報が規定されている）と判断した場合に、赤外線指令信号で規定された指定識別情報が記憶部Ｍに記憶されている記憶識別情報と一致するか否かを判断する（第８のステップＳ８）。
【０１２７】
そして、制御部Ｃは、第８のステップＳ８において指定識別情報が記憶識別情報と一致すると判断した場合に、赤外線指令信号が発光部ＬＥ１、ＬＥ２の点灯／消灯を規定しているか否かを判断する（第９のステップＳ９）。
【０１２８】
そして、制御部Ｃは、第９のステップＳ９において赤外線指令信号が発光部ＬＥ１、ＬＥ２の点灯／消灯を規定していないと判断した場合に、赤外線指令信号で規定されている調光率および色温度で発光部ＬＥ１、ＬＥ２を発光させる（第１０のステップＳ１０）。
【０１２９】
そして、制御部Ｃは、第１０のステップＳ１０の後、赤外線指令信号で規定されている調光率および色温度を記憶部Ｍに記憶する（第１１のステップＳ１１）。
【０１３０】
また、制御部Ｃは、第９のステップＳ９において赤外線指令信号が発光部ＬＥ１、ＬＥ２の点灯／消灯を規定していると判断した場合に、発光部ＬＥ１、ＬＥ２が点灯しているか否かを判断する（第１２のステップＳ１２）。
【０１３１】
そして、制御部Ｃは、第１２のステップＳ１２において発光部ＬＥ１、ＬＥ２が点灯していると判断した場合に、発光部ＬＥ１、ＬＥ２を消灯する（第１３のステップＳ１３）。
【０１３２】
また、制御部Ｃは、第１２のステップにおいて発光部ＬＥ１、ＬＥ２が点灯していない（消灯している）と判断した場合に、記憶部Ｍに記憶されている調光率および色温度を読み出す（第１４のステップＳ１４）。
【０１３３】
そして、制御部Ｃは、第１４のステップで読み出した調光率および色温度で、発光部ＬＥ１、ＬＥ２を発光させる（第１５のステップＳ１５）。
【０１３４】
なお、制御部Ｃは、第２のステップＳ２において、赤外線信号が赤外線リモコンＲＦＢ１により出力された赤外線指令信号ではないと判断した場合に、受信した赤外線信号を破棄する（第１６のステップＳ１６）。
【０１３５】
また、制御部Ｃは、第８のステップＳ８において、赤外線指令信号により規定された識別情報が記憶部Ｍに記憶されている識別情報と一致しないと判断した場合に、受信した赤外線指令信号を破棄する（第１７のステップＳ１７）。
【０１３６】
ここで、赤外線指令信号の構成例について説明する。図７は、赤外線指令信号の構成の一例を示す図である。また、図８は、赤外線指令信号の構成の他の例を示す図である。また、図９は、赤外線指令信号の構成のさらに他の例を示す図である。また、図１０は、赤外線指令信号の構成のさらに他の例を示す図である。また、図１１は、赤外線指令信号の構成のさらに他の例を示す図である。また、図１２は、赤外線指令信号の構成のさらに他の例を示す図である。
【０１３７】
図７に示すように、例えば、赤外線リモコンＲＦＢ１により出力される赤外線指令信号は、第１のデータコードＤ１として識別情報を規定し、第２のデータコードＤ２として調光率および色温度を規定する。
【０１３８】
また、図８に示すように、例えば、赤外線リモコンＲＦＢ１により出力される赤外線指令信号が、第１のデータコードＤ１として識別情報を規定し、第２のデータコードＤ２としてオン／オフ指示を規定するようにしてもよい。
【０１３９】
また、図９に示すように、例えば、赤外線リモコンＲＦＢ１により出力される赤外線指令信号が、第１のデータコードＤ１としてフリー識別情報を規定し、第２のデータコードＤ２としてオフ指示のみを規定するようにしてもよい。
【０１４０】
また、図１０に示すように、例えば、赤外線リモコンＲＦＢ１により出力される赤外線指令信号が、第１のデータコードＤ１としてフリー識別情報を規定し、第２のデータコードＤ２として調光率（例えば、１００％）を規定するようにしてもよい。
【０１４１】
また、図１１に示すように、例えば、赤外線リモコンＲＦＢ１により出力される赤外線指令信号が、第１のデータコードＤ１としてオフ指示を規定し、第２のデータコードＤ２を省略するようにしてもよい。この場合、赤外線指令信号は、予めフリー識別情報を規定することとして定義される。
【０１４２】
また、図１２に示すように、例えば、赤外線リモコンＲＦＢ１により出力される赤外線指令信号が、第１のデータコードＤ１として調光率（例えば、１００％）を規定し、第２のデータコードＤ２を省略するようにしてもよい。この場合、赤外線指令信号は、予めフリー識別情報を規定することとして定義される。
【０１４３】
なお、これらの赤外線指令信号の構成例は例示であり、赤外線指令信号の構成はこの例示に限定されない。
【０１４４】
以上のように、本発明の一態様に係る照明装置１００ａ〜１００ｉは、赤外線リモコンＲＣが出力した赤外線指令信号に応じて、発光する照明装置であって、赤外線指令信号を受信する赤外線受光部ＬＲと、発光する発光部ＬＥ１、ＬＥ２と、赤外線指令信号に応じて発光部ＬＥ１、ＬＥ２の発光を制御する制御部Ｃと、識別情報、調光率、および色温度を記憶する記憶部Ｍと、制御部Ｃの制御モードを、記憶部Ｍに記憶された調光率および色温度で発光する通常モード、または識別情報を記憶部Ｍに記憶する識別情報記憶モードの何れか一方に切り替えるスイッチと、を備える。
【０１４５】
そして、制御部Ｃが、受信された赤外線信号が赤外線指令信号であるか否かを、判断し、赤外線信号が赤外線指令信号であると判断した場合に、識別情報記憶モードであるか、または通常モードであるかを、判断する。
【０１４６】
そして、制御部Ｃが、制御モードが識別情報記憶モードであると判断した場合に、赤外線指令信号が識別情報の記憶を規定する識別情報記憶信号であるか否かを判断する。
【０１４７】
そして、制御部Ｃが、赤外線指令信号が識別情報記憶信号であると判断した場合に、赤外線指令信号で規定されている識別情報を記憶部Ｍに記憶する。
【０１４８】
特に、制御部Ｃは、赤外線指令信号でフリー識別情報が規定されている場合に、赤外線指令信号により規定されている調光率および色温度で発光部ＬＥ１、ＬＥ２を発光させる。
【０１４９】
特に、制御部Ｃは、赤外線指令信号で規定された指定識別情報が記憶識別情報と一致した場合に、赤外線指令信号により規定されている調光率および色温度で発光部ＬＥ１、ＬＥ２を発光させる。
【０１５０】
したがって、本発明に係る照明装置は、１つの赤外線リモコンにより調光率および色温度を個別に制御することができる。
【０１５１】
すなわち、導入コストを削減しつつ、汎用性を向上することができる。
【０１５２】
そして、本発明に係る照明装置は、例えば、美術館、商店、一般住宅に適用可能である。
【０１５３】
なお、記憶部Ｍ（ＥＥＰＲＯＭ）に識別情報を記憶させることにより、例えば、レイアウト変更等後からでも使用者変更が可能になる。
【０１５４】
また、入力配線系統が異なる照明装置に対しても調光・調色制御が可能である。
【０１５５】
また、調光・調色の対象ではない照明装置については、識別情報を付与しないで、動作させるようにしてもよい。
【０１５６】
また、異なる照明装置に同じ識別情報が記憶されるようにしてもよい。これにより、２つの照明装置の調光率や色温度を同期して制御することができる。
【０１５７】
また、識別情報記憶モードでは、説明の都合上、照明装置の点灯時、その他の照明装置は不点灯とする様に調光・調色システムを組んだが制御モードが識別情報記憶モードになっていれば、照明装置の点灯、不点灯はどちらでも問題無い。
【０１５８】
なお、実施形態は例示であり、発明の範囲はそれらに限定されない。特に実施形態では、記憶部Ｍに識別情報に加え、照明装置の調光率と色温度とを記憶させているが、記憶部Ｍに調光率と色温度のどちらか一方のみを記憶させてもよい。
【符号の説明】
【０１５９】
１００ａ〜１００ｉ、Ｘ  照明装置
１０００  調光・調色システム
２０００、３０００、４０００  調光システム
ＣＯＮ  制御回路
ＳＣ  電源回路
ＬＥ１、ＬＥ２  発光部
ＳＷ  スイッチ
ＬＲ  赤外線受光部
Ｒ  抵抗素子
Ｄ  デコード部
Ｉ  入力部
Ｍ  記憶部
Ｃ  制御部
Ｐ  展示物
Ｌ  光
ＬＩ１、ＬＩ２  配線
ＬＤ１、ＬＤ２  ダクト
ＡＣ  交流電源
Ｙ  制御装置
Ｔ  調光器
ＰＣ  パソコン
【図１】
2014096287.tif 000003
【図２】
2014096287.tif 000004
【図３】
2014096287.tif 000005
【図４】
2014096287.tif 000006
【図５】
2014096287.tif 000007
【図６】
2014096287.tif 000008
【図７】
2014096287.tif 000009
【図８】
2014096287.tif 000010
【図９】
2014096287.tif 000011
【図１０】
2014096287.tif 000012
【図１１】
2014096287.tif 000013
【図１２】
2014096287.tif 000014
【図１３】
2014096287.tif 000015
【図１４】
2014096287.tif 000016
【図１５】
2014096287.tif 000017